(57)【要約】【課題】口元管の設置と、鋼管杭の打設を連続して行う工法を提供する。【解決手段】鋼管杭を回転圧入する方法であって、杭打機に取り付けられる鋼管杭に、それぞれ螺旋状羽根部を有する第１、第２の半円筒形部材を有する半割掘削治具を締結する第１の工程（Ｐ１）と、前記半割掘削治具を締結した前記鋼管杭を口元管に取り付ける第２の工程（Ｐ２）と、前記半割掘削治具を締結した前記鋼管杭の回転に連動して、前記口元管を回転圧入する第３の工程（Ｐ３）と、前記半割掘削治具を締結した前記鋼管杭で口元管内を掘削する第４の工程（Ｐ４）と、前記半割掘削治具を締結した前記鋼管杭を引き上げ、前記半割掘削治具の螺旋状羽根間に堆積した土砂を、土砂落とし装置により掻き出す第５の工程（Ｐ５）と、前記半割掘削治具を前記鋼管杭から取り外し、前記鋼管杭を、前記口元管を圧入した箇所に回転圧入する第６の工程（Ｐ６）を有する。【選択図】図１
2018178361.tif 000002
【特許請求の範囲】
【請求項１】
口元管を回転圧入するための掘削治具付鋼管杭であって、
先端部に羽根部を有する羽根付鋼管杭と、
第１、第２の半円筒形部材で、前記羽根付鋼管杭を覆うように締結される半割掘削治具を有し、
前記半割掘削治具は、前記第１、第２の半円筒形部材に螺旋状羽根部を有し、前記羽根付鋼管杭の先端に有する羽根部と連続する螺旋状羽根を形成する、
ことを特徴とする掘削治具付鋼管杭。
【請求項２】
請求項１において、
前記口元管の上部に開口を有し、前記開口を覆う蓋部と前記羽根付鋼管杭の前記先端部とを係合して、前記口元管の上部側に取り付けられる、
ことを特徴とする掘削治具付鋼管杭。
【請求項３】
請求項１において、
前記口元管は上部の開口部を覆う分割された蓋部を有し、前記半割掘削治具の上部側を前記分割された蓋部で挟むように締結固定されて、前記半割掘削治具部分が前記口元管内に配置される、
ことを特徴とする掘削治具付鋼管杭。
【請求項４】
鋼管杭を回転圧入する方法であって、
杭打機に取り付けられる鋼管杭に、それぞれ螺旋状羽根部を有する第１、第２の半円筒形部材を有する半割掘削治具を締結する第１の工程（Ｐ１）と、
前記半割掘削治具を締結した前記鋼管杭を口元管に取り付ける第２の工程（Ｐ２）と、
前記半割掘削治具を締結した前記鋼管杭の回転に連動して、前記口元管を回転圧入する第３の工程（Ｐ３）と、
前記半割掘削治具を締結した前記鋼管杭で口元管内を掘削する第４の工程（Ｐ４）と、
前記半割掘削治具を締結した前記鋼管杭を引き上げ、前記半割掘削治具の螺旋状羽根間に堆積した土砂を、土砂落とし装置により掻き出す第５の工程（Ｐ５）と、
前記半割掘削治具を前記鋼管杭から取り外し、前記鋼管杭を、前記口元管を圧入した箇所に回転圧入する第６の工程（Ｐ６）を有する、
ことを特徴とする鋼管杭の回転圧入方法。
【請求項５】
請求項４において、
前記鋼管杭は、先端部に羽根部を有する羽根付鋼管杭であって、
前記第１の工程（Ｐ１）で、前記羽根付鋼管杭を覆うように前記半割掘削治具の前記第１、第２の半円筒形部材を締結して、前記羽根付鋼管杭の羽根部と連続する
螺旋状羽根を形成する、
ことを特徴とする鋼管杭の回転圧入方法。
【請求項６】
請求項４において、
前記第２の工程（Ｐ２）における前記半割掘削治具を締結した前記鋼管杭の前記口元管への取り付けは、前記口元管の上部に開口部を有し、前記開口部を覆う蓋部と前記鋼管杭の先端部との係合による、
ことを特徴とする鋼管杭の回転圧入方法。
【請求項７】
請求項４において、
前記第２の工程（Ｐ２）における前記半割掘削治具を締結した前記鋼管杭の前記口元管への取り付けを、前記口元管の上部に開口部を有し、前記開口部を覆う分割された蓋部と、前記半割掘削治具が前記口元管内に位置するように前記鋼管杭との係合による、
ことを特徴とする鋼管杭の回転圧入方法。
【請求項８】
請求項５において、
前記羽根付鋼管杭の先端縁部にブレードを有し、更に前記蓋部に通し孔を有し、前記第３の工程（Ｐ３）で、前記ブレードと前記蓋部の通し孔の切欠き淵部が係合し、更に前記羽根付鋼管杭の羽根部の先端が前記蓋部の通し孔の縁部に設けた切欠き部に当接し、前記羽根付鋼管杭の回転により前記口元管の回転圧入を行う、
ことを特徴とする鋼管杭の回転圧入方法。
【請求項９】
請求項７において、
前記半割掘削治具は、上部に固定用円盤状板材を有し、前記蓋部と前記固定用円盤状板材とがねじ止めされ、前記第３の工程（Ｐ３）で、前記半割掘削治具を締結した鋼管杭の回転により前記口元管の回転圧入を行う、
ことを特徴とする鋼管杭の回転圧入方法。
【請求項１０】
請求項８又は９において、
前記第４の工程（Ｐ４）で、前記口元管の回転圧入後に、前記半割掘削治具を締結した鋼管杭により土砂掘削を行い、
前記第５の工程（Ｐ５）で、前記半割掘削治具を締結した鋼管杭を土砂掻き出し装置で覆い、前記半割掘削治具を締結した鋼管杭を回転することにより、前記土砂掻き出し装置の内側に向いたブラシにより前記半割掘削治具を締結した鋼管杭の羽根間に堆積した土砂を掻き出す、
ことを特徴とする鋼管杭の回転圧入方法。
【請求項１１】
請求項１０において、
前記土砂を掻き出しの際、前記口元管上部を覆い、その上部に前後に移動可能な掻き出し土砂受け用台車を配置し、
掻き出し土砂受けを完了後に前記土砂受け用台車を引き出し、前記口元管上部を開放する
ことを特徴とする鋼管杭の回転圧入方法。
【請求項１２】
請求項１０における前記鋼管杭の回転圧入方法の第５の工程（Ｐ５）で使用される土砂落とし装置であって、
一対のそれぞれ半円筒を成し、内側に向いた複数のブラシを有し、前記半割掘削治具を締結した鋼管杭を覆い、前記鋼管杭を回転することにより前記ブラシにより前記半割掘削治具の羽根間に堆積した土砂を掻き出す、
ことを特徴とする土砂落とし装置。
【請求項１３】
請求項１２において、
前記ブラシは、半円筒内面に設けられた土砂掻き出し用ブラシと、前記半円筒の上部に設けられた土砂払い用ブラシである、
ことを特徴とする土砂落とし装置。
【発明の詳細な説明】
【技術分野】
【０００１】
本発明は、掘削治具付鋼管杭と、これを用いる鋼管杭の回転圧入方法及び土砂落とし装置に関する。
【背景技術】
【０００２】
鉄道施設の改善のために、線路の近接箇所やホーム上に鋼管杭を打設する場合がある。かかる場合、線路への影響やホームの沈下を防止するために、鋼管杭の打設に先立って口元管を事前に設置することが行われる。
【０００３】
近年、乗客の安全対策のため、既設ホーム上にホームドアを設置することが急がれている。そして、盛り土式ホームへのホームドア設置の際にも、口元管を事前に設置して、ホームの沈下防止を行い、鋼管杭を打設している。
【０００４】
これまで、口元管の設置は、設置場所の盛り土を、スコップ等を用いて人力で掘削排土する工法を行ってきた。
【０００５】
すなわち、ホームに仮覆工板を設置し、鋼管杭を打設する箇所に人力で掘削を行い、排土して口元管を設置する。その後に、重機である杭打機を用意して鋼管杭を、口元管を通して打設するという断続的作業が行われてきた。
【０００６】
すなわち、鉄道営業への影響を考慮して、かかる工事は、列車運行のない夜間の短時間で行うことが必要である。このため、従来は、口元管の設置と鋼管杭の打設作業を、日を跨いで行うことが必要であった。
【０００７】
かかる技術分野においてこれまで提案されている関連技術として、次のようなものがある(特許文献１−７)。
【０００８】
特許文献１に記載の発明は、連結まくらぎを用いた地盤改良方法であって、地盤改良装置を案内する口元管の直径と軌道を支持する複数の本体部の少なくとも１個所の複数の本体部間の距離との関係を開示している。
【０００９】
特許文献２に記載の発明は、杭基礎の杭頭構造であって、地盤に埋設される杭基礎の杭頭から放射状に突出する鉛直板を設けた杭頭構造を開示している。
【００１０】
特許文献３に記載の発明は、回転圧入鋼管杭の接続金具であって、再利用可能な断面略円形状の回転圧入鋼管杭と台座を構成する桁材とを連結可能な接続金具を開示している。
【００１１】
特許文献４に記載の発明は、鋼管杭回転圧入工法及びこれに用いられる装置であって、既設の第１の鋼管杭の上端開口内に柱状部材を装着し、第１の鋼管杭に装着された柱状部材に反カバーを介して固定された状態の回転圧入装置本体を使用して第２の鋼管杭を回転圧入する工法を開示している。
【００１２】
特許文献５に記載の発明は、回転圧入鋼管杭であって、円筒状の鋼管の先端面が螺旋状に形成され、その先端と後端との間にテーパー状の切欠きを形成した羽根部を有することを開示している。
【００１３】
特許文献６に記載の発明は、掘削装置と土砂落とし装置に関連し、掘削装置のスクリューに沿って、上下に移動可能な書き落とし部材を設けてシャフトの外周面に付着した土砂を落とす装置を開示している。
【００１４】
特許文献７に記載の発明は、土壌掘削採取装置に関連し、コアカッターにより土壌の表層が削孔された後、コアカッターが旋回され、土壌サンプラーにより削孔された孔から土壌サンプルが採取されることを開示している。
【先行技術文献】
【特許文献】
【００１５】
【特許文献１】特開２００９−２９３２９６号公報
【特許文献２】特開２００５−０６１１７１号公報
【特許文献３】特開２０１５−２３２２１０号公報
【特許文献４】特開２０１６−０６５４０１号公報
【特許文献５】特開２０１６−０７９７４３号公報
【特許文献６】特開平１１−０６２４５７号公報
【特許文献７】特開２０１１−１９６１４０号公報
【発明の概要】
【発明が解決しようとする課題】
【００１６】
上記に説明したように、これまでの鋼管杭の回転圧入と、それに先立つ口元管の設置に関する工法では、多くのマンパワーと工期を必要としていた。このため、多くの工期の確保と経費増が必要となっている。
【００１７】
さらに、上記先行技術文献の何れにも、口元管の設置と鋼管杭の埋設に関し、工期の短縮につながる技術を開示していない。
【００１８】
かかる点に鑑みて、本発明の目的は、鋼管杭の打設作業における工期の短縮と費用軽減を可能とする、羽根付鋼管杭と、これを用いる鋼管杭回転圧入方法及び土砂落とし装置を提供することにある。
【課題を解決するための手段】
【００１９】
前記本発明の課題を解決する第１の側面は、口元管を回転圧入するための掘削治具付鋼管杭であって、先端部に羽根部を有する羽根付鋼管杭と、第１、第２の半円筒形部材で、前記羽根付鋼管杭を覆うように締結される半割掘削治具を有し、前記半割掘削治具は、前記第１、第２の半円筒形部材に螺旋状羽根部を有し、前記羽根付鋼管杭の先端に有する羽根部と連続する螺旋状羽根を形成することを特徴とする。
【００２０】
前記本発明の課題を解決する第１の側面において、第１の実施態様として前記口元管の上部に開口を有し、前記開口を覆う蓋部と前記羽根付鋼管杭の前記先端部とを係合して、前記口元管の上部側に取り付けられることを特徴とする。
【００２１】
前記本発明の課題を解決する第１の側面において、第２の実施態様として前記口元管は上部の開口部を覆う分割された蓋部を有し、前記半割掘削治具の上部側を前記分割された蓋部で挟むように締結固定されて、前記半割掘削治具部分が前記口元管内に配置されることを特徴とする。
【００２２】
前記本発明の課題を解決する第２の側面は、鋼管杭を回転圧入する方法であって、杭打機に取り付けられる鋼管杭に、それぞれ螺旋状羽根部を有する第１、第２の半円筒形部材を有する半割掘削治具を締結する第１の工程（Ｐ１）と、前記半割掘削治具を締結した前記鋼管杭を口元管に取り付ける第２の工程（Ｐ２）と、前記半割掘削治具を締結した前記鋼管杭の回転に連動して、前記口元管を回転圧入する第３の工程（Ｐ３）と、前記半割掘削治具を締結した前記鋼管杭で口元管内を掘削する第４の工程（Ｐ４）と、前記半割掘削治具を締結した前記鋼管杭を引き上げ、前記半割掘削治具の螺旋状羽根間に堆積した土砂を、土砂落とし装置により掻き出す第５の工程（Ｐ５）と、前記半割掘削治具を前記鋼管杭から取り外し、前記鋼管杭を、前記口元管を圧入した箇所に回転圧入する第６の工程（Ｐ６）を有することを特徴とする。
【００２３】
前記本発明の課題を解決する第２の側面において、第１の実施態様として、前記鋼管杭は、先端部に羽根部を有する羽根付鋼管杭であって、前記第１の工程（Ｐ１）で、前記羽根付鋼管杭を覆うように前記半割掘削治具の前記第１、第２の半円筒形部材を締結して、前記羽根付鋼管杭の羽根部と連続する螺旋状羽根を形成することを特徴とする。
【００２４】
前記本発明の課題を解決する第２の側面において、第２の実施態様として、前記第２の工程（Ｐ２）における前記半割掘削治具を締結した前記鋼管杭の前記口元管への取り付けは、前記口元管の上部に開口部を有し、前記開口部を覆う蓋部と前記鋼管杭の先端部との係合によることを特徴とする。
【００２５】
前記本発明の課題を解決する第２の側面において、第３の実施態様として、前記第２の工程（Ｐ２）における前記半割掘削治具を締結した前記鋼管杭の前記口元管への取り付けを、前記口元管の上部に開口部を有し、前記開口部を覆う分割された蓋部と、前記半割掘削治具が前記口元管内に位置するように前記鋼管杭との係合によることを特徴とする。
【００２６】
前記本発明の課題を解決する第２の側面において、第４の実施態様として、前記羽根付鋼管杭の先端縁部にブレードを有し、更に前記蓋部に通し孔を有し、前記第３の工程（Ｐ３）で、前記ブレードと前記蓋部の通し孔の切欠き淵部が係合し、更に前記羽根付鋼管杭の羽根部の先端が前記蓋部の通し孔の縁部に設けた切欠き部に当接し、前記羽根付鋼管杭の回転により前記口元管の回転圧入を行うことを特徴とする。
【００２７】
前記本発明の課題を解決する第２の側面において、第５の実施態様として、前記半割掘削治具は、上部に固定用円盤状板材を有し、前記蓋部と前記固定用円盤状板材とがねじ止めされ、前記第３の工程（Ｐ３）で、前記半割掘削治具を締結した鋼管杭の回転により前記口元管の回転圧入を行うことを特徴とする。
【００２８】
前記本発明の課題を解決する第２の側面において、第６の実施態様として、前記第４の工程（Ｐ４）で、前記口元管の回転圧入後に、前記半割掘削治具を締結した鋼管杭により土砂掘削を行い、前記第５の工程（Ｐ５）で、前記半割掘削治具を締結した鋼管杭を土砂掻き出し装置で覆い、前記半割掘削治具を締結した鋼管杭を回転することにより、前記土砂掻き出し装置の内側に向いたブラシにより前記半割掘削治具を締結した鋼管杭の羽根間に堆積した土砂を掻き出すことを特徴とする。
【００２９】
前記本発明の課題を解決する第２の側面において、第７の実施態様として、前記土砂を掻き出しの際、前記口元管上部を覆い、その上部に前後に移動可能な掻き出し土砂受け用台車を配置し、掻き出し土砂受けを完了後に前記土砂受け用台車を引き出し、前記口元管上部を開放することを特徴とする。
【００３０】
前記本発明の課題を解決する第３の側面は、前記鋼管杭の回転圧入方法の第５の工程（Ｐ５）で使用される土砂落とし装置であって、一対のそれぞれ半円筒を成し、内側に向いた複数のブラシを有し、前記半割掘削治具を締結した鋼管杭を覆い、前記鋼管杭を回転することにより前記ブラシにより前記半割掘削治具の羽根間に堆積した土砂を掻き出すことを特徴とする。
【００３１】
前記本発明の課題を解決する第３の側面において、実施態様として、前記ブラシは、半円筒内面に設けられた土砂掻き出し用ブラシと、前記半円筒の上部に設けられた土砂払い用ブラシであることを特徴とする。
【発明の効果】
【００３２】
上記手段により、口元管の回転圧入、口元管内掘削、及び鋼管杭打設までを連続的に同時施工可能とする工法を実現される。これにより、鋼管杭打設における工期及び経費の削減が可能である。
【００３３】
さらに、杭打機に土砂落とし装置を装着し、回転引き上げにより土砂の掻き出しを行い、フレコンパック（フレキシブルコンテナパック）に収納して土砂を回収することで、土砂落とし、土砂回収、搬出作業までを連続的に行うことが可能である。
【図面の簡単な説明】
【００３４】
【図１】本発明に従う鋼管杭回転圧入方法の実施例の工程を示す概略フロー図である。
【図２】羽根付鋼管杭に掘削治具の取り付けを説明する図である。
【図３】半割掘削治具の詳細を説明する図である。
【図４】掘削治具付鋼管杭が杭打機に取り付けられた状態を外観斜視する模式図である。
【図５】口元管の上部に口元管用落とし蓋が被せられる状態を説明する図である。
【図６】羽根付鋼管杭と口元管用落とし蓋の係合を理解容易のために更に詳細に説明する図である。
【図７】ステップＳ３Ｂに対応する口元管の構成をと口元管に被せられる口元管用落とし蓋の構成を説明する図である。
【図８】ステップＳ３Ｂに対応する、羽根付鋼管杭と掘削治具を説明する図である。
【図９】ステップＳ３Ｂに対応して、半割掘削治具を締結固定した鋼管杭に口元管を取り付けた構成を示す図である。
【図１０】口元管の埋設を完了した状態から口元管内の土砂を掘削する処理を示す模式図である。
【図１１】本発明による土砂落とし装置の上面図、側断面図及び正面図を示す図である。
【図１２】掘削治具付鋼管杭１の螺旋状羽根間に詰まった土砂落とし作業を説明する模式図である。
【図１３】羽根付鋼管杭を土中に打ち込む作業を示す模式図である。
【発明を実施するための形態】
【００３５】
以下図面に従い、本発明の実施例を説明する。図面は、本発明の理解のためのものであり、本発明の保護の範囲は、かかる図示された実施例に限定されず、特許請求の範囲の記載及びその均等物にも及ぶ。
【００３６】
図１は、本発明に従う掘削治具付鋼管杭を使用する鋼管杭の回転圧入方法の実施例の工程を示す図であり、図２は、本発明に従う掘削治具付鋼管杭の構成を説明する図である。
【００３７】
[第１の工程（Ｐ１）]
図１において、本発明に従う鋼管杭の回転圧入方法の工程がスタートすると、第１の工程（Ｐ１）として、羽根付鋼管杭１Ａを用意し、これを杭打機に取り付ける（ステップＳ１）。
【００３８】
ついで、杭打機に取り付けられた羽根付鋼管杭１Ａに掘削治具２を取り付けて本発明に従う掘削治具付鋼管杭１を形成する（ステップＳ２）。
【００３９】
なお、ステップＳ１，Ｓ２の順序を逆にすることも可能である。すなわち、先に羽根付鋼管杭１Ａに掘削治具２を取り付け、掘削治具付鋼管杭１を形成し、これを杭打機に取り付けるようにしてもよい。
【００４０】
実施例として、本発明に従う羽根付鋼管杭１Ａは、先端部に螺旋状の羽根部１１を有している。
【００４１】
図２は、羽根付鋼管杭に掘削治具の取り付けを説明する図である。図２において、羽根付鋼管杭１Ａは、円柱を成し、その先端近傍に螺旋状の羽根部１１を有している。さらに、羽根付鋼管杭１Ａの円柱先端にフリンジ１３を有し、羽根部１１の先端部と所定の間隔を有するようにブレード片１４が固着されている。
【００４２】
さらに、羽根付鋼管杭１Ａの円柱先端面に略台形状の板状部材１７を有する。この板状部材１７は、後に第４の工程として説明する口元管内の土砂掘削の際に（ステップＳ５）、掘削治具付鋼管杭１の土砂内への浸入を容易とする機能を有する。
【００４３】
上記羽根付鋼管杭１Ａの先端近傍に有する羽根部１１と連結して掘削のための螺旋状羽根を形成する半割掘削治具２が、羽根付鋼管杭１Ａの周囲を覆う状態に取り付けられ、掘削治具付鋼管杭１が形成される。
【００４４】
図３は、半割掘削治具２の詳細を説明する図である。半割掘削治具２は鋼板により作成され、羽根付鋼管杭１Ａの径に対応する一対の半円筒形状部材２ａ、２ｂを有する。図３において、図３（１）は上面図、図３（２）、図３（３）は、一対の半円筒形状部材２ａ、２ｂを対向して組み合わせて円筒形にした状態を示し、それぞれ紙面に対し、正面側（矢印Ａ）と、側面側（矢印Ｂ）を示している。
【００４５】
図２に戻り、下端側で、第１の半円筒形状部材２ａの下部凸片１８と第２の半円筒形状部材２ｂの凹部片１９とが係合する。一方、上端側は、半円筒形状部材２ａと半円筒形状部材２ｂは、ボルトとナット（１４）で締結される。これにより、羽根付鋼管杭１Ａが半割掘削治具２で囲われる。
【００４６】
さらに、半円筒形状部材２ａと半円筒形状部材２ｂの上部には、ネジ穴１５を有し、羽根付鋼管杭１Ａに半割掘削治具２を取り付ける際に、羽根付鋼管杭１Ａのネジ溝を有する突起１６に係止し、半割掘削治具２の取り付けを容易にする。同時に、ネジ穴１５を通して、羽根付鋼管杭１Ａの突起１６のネジ溝にねじ部材１５Ａで締結して、半割掘削治具２の羽根付鋼管杭１Ａに対する取り付けを堅固にする。
【００４７】
さらに、半円筒形状部材２ａ,２ｂには、それぞれ傾斜した螺旋状羽根部１２ａ,１２ｂが設けられている。この螺旋状羽根部１２ａ,１２ｂは、半円筒形状部材２ａと半円筒形状部材２ｂが円筒状に締結されたとき、図３（２）、図３（３）に示されるように連続した螺旋状羽根を形成する。
【００４８】
これにより、本発明に従う掘削治具付鋼管杭１が形成されるとともに、上記の通り半割掘削治具２の螺旋状羽根部１２a,１２ｂが、羽根付鋼管杭１Ａの先端部近傍の羽根部１１と連続し、後に説明する口元管内の土盛りを掻き出すための螺旋状の掘削羽根を形成する。
【００４９】
図４は、掘削治具付鋼管杭が杭打機に取り付けられた状態を外観斜視する模式図である。
【００５０】
杭打機１００は、４本の脚部１０１で地面に固定されている。
【００５１】
実施例として２基のモータ１０２で駆動される、杭打機１００の回転押し下げ機構１１０の下端側のキャップ１０３に掘削治具付鋼管杭１が装着されている。
【００５２】
図４において、杭打機１００には、更に口元管２０を周囲より支持する口元管用触れ止め機構２８と、開いた状態の土砂落とし装置のブラシ機構４０ａ，４０ｂを有している。これらの機構の役割については、順次後に詳細に説明する。
【００５３】
[第２の工程（Ｐ２）]
次いで、第２の工程（Ｐ２）として、掘削治具付鋼管杭１を口元管２０に取り付ける。
【００５４】
線路への影響やホームの沈下を防止するために鋼管杭を打設する箇所に口元管２０が事前に埋設される。この口元管２０の埋設は、鋼管杭１を口元管２０に取り付け、掘削治具付鋼管杭１の回転押し下げによって行われる。
【００５５】
ここで、掘削治具付鋼管杭１の口元管２０への取り付けは、以下に説明する実施例として２通りの何れかの態様を用いる方法が可能である（ステップＳ３Ａ、又はＳ３Ｂ）。
【００５６】
第１の方法は、掘削治具付鋼管杭１の先端部を口元管２０に被せる落とし蓋２３に取り付ける態様を用い（ステップＳ３Ａ）、第２の方法は、掘削治具付鋼管杭１を口元管２０内に取り付ける態様を用いる（ステップＳ３Ｂ）。
【００５７】
前記第１の方法として、ステップＳ３Ａの態様即ち、掘削治具付鋼管杭１の先端部を口元管２０に被せる落とし蓋２３に取り付ける態様である。図５は、かかる態様に対応し、口元管２０の上部に口元管用落とし蓋２３が被せられた状態を詳細に説明する図である。
【００５８】
図５において、（１）は口元管２０に落とし蓋２３を被せた状態の上面図、（２）は（１）の状態の正面断面図及び（３）は掘削治具付鋼管杭１の先端部を口元管２０に被せる落とし蓋２３に取り付けた状態を示す図である。なお、口元管２０部分は、（１）の状態と同じ正面断面図で示している。
【００５９】
口元管２０本体は、上下端が開口した所定の厚みを有する円筒状鋼管を成している。円筒状鋼管本体の上端外側に突起２１が、下端側にブレード片２２が固着されている。突起２１は対向して一対、ブレード片２２は、４方向に設けられている。
【００６０】
このブレード片２２は、口元管の埋設箇所が地山である場合、回転しながら埋設する作業を容易とするためのものである。したがって、盛土のような柔らかい地盤である場合は、ブレード片２２は、必ずしも必要としない。
【００６１】
図４に戻り、かかる構成の口元管２０に被せられる口元管用落とし蓋２３の構成に対して、掘削治具付鋼管杭１に口元管２０を取り付ける（ステップＳ３Ａ）。
【００６２】
さらに、図５（１）において、口元管用落とし蓋２３の通し孔２６とその縁部２３Ｂに設けられた切欠き部２７が表れている。口元管用落とし蓋２３の円筒側面には、切欠き部２５を有し、口元管２０の上端外側に設けられた突起２１と係合して、口元管用落とし蓋２３と口元管２０が一体化されている。
【００６３】
杭打機１００の回転押し下げ機構１１０の下端側に装着された掘削治具付鋼管杭１が装着される。掘削治具付鋼管杭１の先端にあるブレード片１３が、前記口元管用落とし蓋２３の切欠き部２７の端面に係合するように、羽根付鋼管杭１に口元管２０が取り付けられる。
【００６４】
図５に示されるように、口元管用落とし蓋２３の上面に一対の取手２４を有し、可搬容易にしている。
【００６５】
さらに、口元管用落とし蓋２３の上面中央部は、図５（２）の断面図で理解できるように中央部が二段構成である。この二段構成の下側は、周囲に縁部２３Ａが形成されるように中央に通し孔２６を有する。また、周囲の縁部２３Ａに切欠き２７を有する。
【００６６】
さらに、上面中央部縁部に沿って、対応する位置に、摺動しネジ固定可能のロックプレート２９Ａ，２９Ｂを有する。ロックプレート２９Ａ，２９Ｂは、口元管用落とし蓋２３の通し孔２６に掘削治具付鋼管杭１の先端が挿入されたとき、フリンジ１３の上端部を抑え、掘削治具付鋼管杭１との係合を保持する。
【００６７】
さらに、ロックプレート２９Ａに隣接してロックブロック３０を有する。ロックブロック３０は、ロックプレート２９Ａの摺動を制限する。
【００６８】
この際、掘削治具付鋼管杭１の羽根部１１の先端部のブレード片１４が、切欠き２７の端面と当接し、且つ掘削治具付鋼管杭１の先端近傍に有する羽根部１１の先端が口元管用落とし蓋２３の上側面に位置し、前記ロックブロック３０に当接する。
【００６９】
したがって、掘削治具付鋼管杭１の回転によって口元管用落とし蓋２３と一体で、口元管２０を回動しながら土中に押し下げすることが可能である。
【００７０】
図６は、ステップＳ３Ａ（図１）に対応する掘削治具付鋼管杭１と口元管用落とし蓋２３の係合を理解容易のために更に詳細に説明する図である。
【００７１】
図６（１）は、口元管用落とし蓋２３の裏面側から見た図、図６（２）は、ロックプレート２９Ａ側から見た斜視図、そして図６（３）は、ロックプレート２９Ｂから見た斜視図である。
【００７２】
図６（１）において、通し孔２６を通して、掘削治具付鋼管杭１の先端面にある略台形状の板状部材１７が見える。通し孔２６の縁部２３Ａに設けられた切欠き部２７の端面にブレード片１４が当接している。
【００７３】
さらに、必要により設けられる覗き窓３１が示されている。
【００７４】
図６（２）において、ロックプレート２９Ａとロックブロック３０が示される。ロックブロック３０により、ロックプレート２９Ａ  の回転摺動が制限され、且つ掘削治具付鋼管杭１の羽根部１１の先端がロックブロック３０に当接する状態が示されている。
【００７５】
さらに、図６（３）において、半割掘削治具２の螺旋状羽根１２ｂ側が図示省略されている。一方のロックプレート２９Ｂが羽根部１１の下側に位置して、且つ掘削治具付鋼管杭１の抜けを防止するように、ネジ止め固定されている。
【００７６】
ここで、図１に戻り、掘削治具付鋼管杭１の口元管２０への取り付けの他の方法（ステップＳ３Ｂ）を説明する。この方法は、口元管２０内に掘削治具付鋼管杭１を配置するように結合する態様である。
【００７７】
図７は、かかるステップＳ３Ｂに対応する口元管２０の構成と口元管用落とし蓋２３を説明する図である。図７（１）に口元管２０の上面側と、図７（２）に上面側ｘ-ｙ線に沿う断面を示す。図５に示したと同様に、口元管２０は、上下端が開口した所定の厚みを有する円筒状鋼管を成している。さらに、下端側には、図５の構成と同様にブレード片２２を有する。
【００７８】
一方、図５に示した構成と異なり、口元管２０内側の上端側に突起２１Ａを有する。
【００７９】
図７（３）は、口元管２０に被せられる口元管用落とし蓋２３の上面図と図７（４）は、その中央断面図である。この実施例の口元管用落とし蓋２３は、円形の上面部分２３Ｂと対応する円筒側面２３Ｃで構成される。
【００８０】
上面２３Ｂの中央に通し孔２６を有し、後に説明するように、この通し孔２６に掘削治具付鋼管杭１が通される。さらに、通し孔２６の周囲近傍に複数のボルト孔４１を有している。のぞき窓３１は、軽量化のため、あるいは、口元管内観察のため必要により設けられる。
【００８１】
さらに、円筒側面２３Ｃには、口元管２０の突起２１Ａに係合する切欠き２５を有する。
【００８２】
先のステップＳ３Ａに対応する実施例との比較において、特徴として、口元管用落とし蓋２３は、部分２３（１），２３（２）に２分割されている。それぞれが合わせられるとその円筒側面２３Ｃの径の大きさが口元管２０の内径に対応する大きさを有する。
【００８３】
したがって、口元管用落とし蓋２３の側面２３Ｃが、口元管２０の内側に挿入されて、口元管２０の上端側を覆うことが出来る。その際、円筒側面２３Ｃに形成された切欠き２５が、口元管２０の上端内側にある突起２１Ａと係合して口元管２０と口元管用落とし蓋２３が一体化される。
【００８４】
次に、このような構成の口元管２０に掘削治具付鋼管杭１を取り付ける態様について更に説明する。
【００８５】
図８は、ステップＳ３Ｂに対応する、掘削治具付鋼管杭１を構成する羽根付鋼管杭１Ａと掘削治具２を説明する図である。
【００８６】
図８（１）は、羽根付鋼管杭１Ａの正面と側面を示している。この実施例では、羽根付鋼管杭１Ａは、下端側の羽根部１１に加え上端側にも羽根部１１Ａを有している。羽根付鋼管杭１Ａの中央部に一対の突起１６Ａを有している。
【００８７】
図８（２）は、ステップＳ３Ｂに対応する掘削治具２の構成を示す図である。正面側と側面側を示し、更に対応して上面図を示している。
【００８８】
この実施例における掘削治具２は基本的に図３に示した例と同様で、半割構成である。異なる点は、第１に掘削治具２の上部に固定用円盤状板部材４０を有する点である。この固定用円盤状板部材４０には、その円周に沿って、複数のボルト通し孔４２を有している。
【００８９】
このボルト通し孔４２は、図７で説明した口元管用落とし蓋２３の上面２３Ｂに設けられたボルト通し孔４１に対応する位置に設けられている。
【００９０】
また、半割掘削治具２の側面には、一対の四角形の窓１５Ａを有している。これにより、羽根付鋼管杭１Ａの側面の突起１６Ａと半割掘削治具２の側面の窓１５Ａとを位置合わせして半割掘削治具２を羽根付鋼管杭１Ａの円周に締結固定することが出来る。
【００９１】
図９は、ステップＳ３Ｂに対応して、掘削治具付鋼管杭１を構成する半割掘削治具２を締結固定した羽根付鋼管杭１Ａに口元管２０を取り付けた構成を示す図である。図９（１）はその上面図、図９（２）は、口元管２０のみを断面にした側面図を示す。羽根付鋼管杭１Ａの上部突起１８は、杭打機１００に取り付ける際の係止用突起である。
【００９２】
口元管用落とし蓋２３の２つの部分２３（１）、２３（２）で掘削治具付鋼管杭１の両側を囲い、口元管用落とし蓋２３の上面に設けられたボルト通し孔４１と、半割掘削治具２の上部の固定用円盤状板部材４０のボルト通し孔４２にボルト４２Ａを通して固定する。これにより掘削治具付鋼管杭１と口元管用落とし蓋２３が、一体化される。
【００９３】
ついで、掘削治具付鋼管杭１を固定した口元管用落とし蓋２３の円筒側面２３Ｃを口元管２０に挿入し、口元管２０の突起２１Ａと円筒側面２３Ｃの切欠き２５とを係合して固定する。これにより、掘削治具付鋼管杭１の口元管２への取り付けが完了する。
【００９４】
[第３の工程（Ｐ３）]
次いで、図1のフローに戻り、第３の工程（Ｐ３）として、第２の工程（Ｐ２）のステップＳ３Ａ又はＳ３Ｂに続き、口元管２０を回転圧入する（ステップＳ４）。さらに図４に戻り、かかる口元管２０の回転圧入ステップを理解容易に示す模式図を示し、図５に示した口元管２０と口元管用落とし蓋２３を使用する場合に対応する。
【００９５】
杭打機１００にそれぞれ一端が保持された一対の口元管振れ止め機構２８を有する。掘削治具付鋼管杭１の先端部に口元管２０が取り付けられ、回転圧入される際、口元管２０の胴体を巻き込むように、一対の口元管振れ止め機構２８の他端同士をピン止め（２９）して、口元管２０を位置決めする。この状態で掘削治具付鋼管杭１を回転しながら圧入力を口元管２０に与えて、口元管２０を埋設する。
【００９６】
一方、図７に示す口元管２０を用いる場合は、口元管２０を埋設すると同時に、羽根付鋼管杭１自身も口元管２０と一体で、土砂を掘削しながら土砂中に侵入することになる。すなわち、ステップＳ３Ｂの場合は、口元管２０を回転圧入すると、同時に掘削治具付鋼管杭１の回転により口元管２０の内側の土砂を掘削することが出来る。
【００９７】
[第４の工程（Ｐ４）]
図１０は、第４の工程（Ｐ４）において、口元管２０の埋設を完了した状態から口元管２０内の土砂を掘削する処理を示す模式図である。
【００９８】
図１０（１）に示すように、口元管２０は、ほぼその上端が土の表面位置と同じになり、口元管振れ止め機構２８のピン２９が外され、元の開いた状態に位置づけられている。さらに、口元管用落とし蓋２３が外され、口元管内の掘削が行われる（ステップＳ５）。
【００９９】
図１０（１）は、埋設された口元管２０から口元管用落とし蓋２３を外し、掘削治具付鋼管杭１を切り離し引き上げた状態を示す。図１０（２）は、更に掘削治具付鋼管杭１を口元管２０内に差し入れ掘削する状態を示している。
【０１００】
一方、ステップＳ３Ｂにより、口元管２０内に掘削治具付鋼管杭１を結合する場合は、先に説明したように口元管２０の埋設と同時に掘削治具付鋼管杭１により口元管２０内の掘削が行われる。したがって、かかる実施例では、基本的には、掘削のステップ自体の実行は不要であるが、口元管２０内の掘削が十分でない場合は、図１０（２）に示すように、更に掘削治具付鋼管杭１により、口元管２０内の掘削を補充してもよい。
【０１０１】
[第５の工程（Ｐ５）]
次に、第５の工程（Ｐ５）として、掘削治具付鋼管杭１の引き上げ（ステップＳ６）及び土砂落とし（ステップＳ７）が行われる。
【０１０２】
図１０（２）において、掘削治具付鋼管杭１の回転は、モータ１０２と歯車機構による回転機構１１１の回転力が掘削治具付鋼管杭１に伝達される。圧入は、杭打機１００の回転機構１１１の保持機構１１２を油圧により押し下げることにより行われる。
【０１０３】
この回転圧入により、掘削治具付鋼管杭１が口元管２０を通して土中に挿入されると、掘削治具付鋼管杭１の羽根部１１及び半割掘削治具２の螺旋状羽根部１２ａ，１２ｂの間に土砂が付着する。
【０１０４】
したがって、土砂が羽根部１１及び螺旋状羽部１２ａ，１２ｂの間に付着したまま掘削治具付鋼管杭１を引き上げる（ステップＳ６）。これにより土砂が排出される。これを繰り返すことにより口元管２０内の土砂が掘削されることになる。
【０１０５】
ここで、掘削治具付鋼管杭１を口元管２０内に挿入、引き出しを行って土砂を排出する場合、掘削治具付鋼管杭１の螺旋状羽根間に詰まった土砂を引き上げの際に落とすことが必要である（ステップＳ７）。
【０１０６】
この詰まった土砂の落とし作業は、これまで人手によりスコップ等で掻き出すことによって行われてきた。
【０１０７】
しかし、かかる作業は、全ステップの中で効率の悪いものである。したがって、本発明による他の特徴として、かかる螺旋状羽根間に詰まった土砂落とし作業を効率化することにある。すなわち、本発明に従う土砂落とし装置を用いて土砂落とし作業を行う。
【０１０８】
[土落とし装置]
図１１は、かかる本発明による土砂落とし装置の上面図（１）、Ａ−Ａ線に沿う断面の正面図（２）及び右側側面図（３）を示す図である。
【０１０９】
土砂落とし装置は、それぞれ一端側が杭打機１００に軸１２１ａ、１２１ｂにより回転可能に固定され、他端側は、土砂落としのタイミング以外は開いた状態にされる一対のブラシ機構４０ａ，４０ｂを有する。
【０１１０】
他端側が閉じられ、ボルトねじ２１０により固定されて、羽根部間に土砂が詰まった状態の掘削治具付鋼管杭１の周囲を囲む状態にされる。
【０１１１】
一対のブラシ機構４０ａ，４０ｂのそれぞれの内側側面に、縦列に複数配置され、側面に一端側が固定された４組の土砂掻き出しのための硬性のブラシ、例えばワイヤブラシ２０１ａ〜２０１ｄと、上端部に、土砂払い用の柔軟性のブラシ、例えばナイロンブラシ２０２ａ、２０２ｂを有する。
【０１１２】
さらに、一対のブラシ機構４０ａ，４０ｂの内側側面に複数のガイド２０３を有する。
【０１１３】
かかる土砂落とし装置のワイヤブラシ２０１ａ〜２０１ｄとナイロンブラシ２０２ａ、２０２ｂより、螺旋状羽根間に詰まった土砂を、掘削治具付鋼管杭１を引き上げる際に落とすことが可能である。
【０１１４】
図１２は、かかる掘削治具付鋼管杭１の螺旋状羽根間に詰まった土砂落とし作業を説明する模式図である。
【０１１５】
螺旋状羽根間に土砂が詰まった状態の掘削治具付鋼管杭１の下部側に、フレキシブルコンテナパック（フレコンパック）３００を積んだ台車３０１を差し入れる（図１２（１））。次いで、土砂が詰まった状態の掘削治具付鋼管杭１の周囲を土砂落とし装置で覆い、掘削治具付鋼管杭１を回転すると、土砂３０２が掻き出されてフレコンパック３００内に収納される（図１２（２））。
【０１１６】
プレコンパック３００内に掻き出された土砂３０２を収納した後、台車３０１を矢印方向に引き出し土砂落とし作業が完了する（図１２（３））。
【０１１７】
[第６の工程（Ｐ６）]
次に、第６の工程（Ｐ６）として、先ず掘削治具付鋼管杭１から半割掘削治具２を外した状態にして羽根付鋼管杭１Ａを土中に打ち込む作業の準備を行う。掘削治具付鋼管杭１から半割掘削治具２を外し（ステップＳ８）、羽根付鋼管杭１Ａの状態にする。
【０１１８】
図１３は、かかる羽根付鋼管杭１Ａを土中に打ち込む作業を示す模式図である。図１３（１）は、先に図１２（３）で説明したように、掻き出された土砂３０２を収納したフレコンパック３００を台車３０１ごと掘削治具付鋼管杭１の下側から引き出した状態を示す図である。
【０１１９】
ここで、掘削治具付鋼管杭１から掘削治具２を外した状態の羽根付鋼管杭１Ａの打設頭部高さが土中にある場合、羽根付鋼管杭１Ａに追加して土中に打ち込むためにヤットコ１２０を用いる。
【０１２０】
ヤットコ１２０の先端を羽根付鋼管杭１Ａの頭部に当接して、掘削された口元管２０の内部に回転圧入して羽根付鋼管杭１Ａを打設する（ステップＳ９：図１３（２））。さらに、所定の施工基面まで羽根付鋼管杭１Ａを打ちこんだ後、ヤットコ１２０を引き上げて、羽根付鋼管杭１Ａの打設施工を完了する（図１３（３））。
【０１２１】
ここで、先に鉄道施設の改善、あるいはホームドアの設置の際の鋼管杭の打設を説明したが、口元管を用いて鋼管杭の回転圧入する本発明の工法は、他に多くの活用が可能である。
【０１２２】
例えば、跨線橋のフーチング及び基礎杭、機械式深礎杭、工事桁用仮橋脚杭、階段・エスカピットのフーチング及び基礎杭、電柱基礎杭、防風・防雪柵のフーチング及び基礎杭、太陽光パネルのフーチング及び基礎杭、照明灯のフーチング及び基礎杭等である。
【０１２３】
これらの活用の場合、例えば、本発明の鋼管杭の回転圧入方法により土中に圧入された鋼管杭に、更に鋼管をつぎ足す場合、口元管の底部に落し蓋を追加し、口元管をケーシングとして生コンクリート及び砕石プレパクトコンなどを充填して、鋼管の継手として用いることが可能である。
【符号の説明】
【０１２４】
１  掘削治具付鋼管杭
１Ａ  羽根付鋼管杭
１１  羽根部
２  半割掘削治具
２ａ,２ｂ  半円筒形状部材
１４  ブレード片
１７  略台形状の板状部材
１２ａ,１２ｂ  螺旋状羽根部
２０  口元管
２３  口元管用落とし蓋
２８  口元管用触れ止め機構
４０ａ，４０ｂ  土砂落とし装置のブラシ機構
１００  杭打機
１０２  モータ
１１０  回転押し下げ機構
２０１ａ〜２０１ｄ  硬性のブラシ（例えば、ワイヤブラシ）
２０２ａ，２０２ｂ  柔軟性のブラシ（例えば、ナイロンブラシ）
【図１】
2018178361.tif 000003
【図２】
2018178361.tif 000004
【図３】
2018178361.tif 000005
【図４】
2018178361.tif 000006
【図５】
2018178361.tif 000007
【図６】
2018178361.tif 000008
【図７】
2018178361.tif 000009
【図８】
2018178361.tif 000010
【図９】
2018178361.tif 000011
【図１０】
2018178361.tif 000012
【図１１】
2018178361.tif 000013
【図１２】
2018178361.tif 000014
【図１３】
2018178361.tif 000015